(57)【特許請求の範囲】
【請求項１】
天井に取付ねじで固定される本体と、前記本体に設けた一対の略長穴状のねじ取付穴と、前記ねじ取付穴の周壁と、を備えた火災感知器において；
少なくとも前記周壁の何れか一方に形成された、前記取付ねじの頭部が挿入される切欠き部と、前記切欠き部の近傍に設けられ、前記切欠き部を経由して、前記ねじ取付穴まで案内するガイド部と、を備え、
前記ガイド部が、水平方向位置を規制する略末広形状の左右方向規制部材と、垂直方向位置を規制する略凸形状の上下方向規制部材と、からなり、
前記ガイド部により、前記天井に固定された取付ねじの頭部が左右及び上下方向のずれを修正して前記ねじ取付穴まで案内することを特徴とする火災感知器。
【請求項２】
前記本体が、側壁とねじ取付穴の周壁とからなるリード線挟持部を備えていることを特徴とする請求項１記載の火災感知器。
【発明の詳細な説明】
【技術分野】
【０００１】
この発明は、天井等に固定される火災感知器に関するものであり、特に、本体が天井等にねじ止めされる直付けタイプの火災感知器に関するものである。
【背景技術】
【０００２】
直付けタイプの火災感知器の本体には、一対のねじ取付穴が点対称に設けられており、このねじ取付穴に取付ねじを挿着することにより、前記本体を天井等に直接固定している。
【０００３】
しかし、前記取付作業は、手で本体を天井に押さえつけながらねじ止めするので、不安定な姿勢が伴う困難な作業であり、作業効率も良くない。
【０００４】
そこで、直付けタイプの火災感知器に、次の様な感知器の取付装置を利用することが考えられる。即ち、先尖したネジ部を有する取付ネジと、この取付ネジの頭部の直径より小さい直径の孔の内周に前記ネジ部を挟持する保持片を突出させた感知器と、からなる感知器の取付装置（例えば、特許文献１、参照）。
【０００５】
この取付装置では、感知器ベースの長孔の第1の孔に第１取付ネジのネジ部を挿入し、且つ、この孔の保持片にて取付ネジを保持させ、この保持させた状態で感知器ベースを天井の所定の位置に一方の手で保持し、他方の手にて取付ネジを螺合して仮止めをし、感知器ベースを回転して取付ネジの頭部を長孔の第2の孔の位置にし、更に取付ネジを螺合して天井と第２取付ネジの頭部とで圧接して感知器ベースを取り付けている。
【０００６】
【特許文献１】実公昭５８−３８４７０号公報
【発明の開示】
【発明が解決しようとする課題】
【０００７】
従来例の感知器の取付装置を利用すると、感知器ベースの保持片に取付ネジを保持する際は、2本の取付ネジが天井面に確実に螺着できるように配置する必要があり、取付作業は正確さを求められる。又、この従来例では、最初に、感知器ベースは、天井の所定位置に２本の取付ネジで螺着しているので、火災感知器の位置を微調整する必要がある場合にも、その調整をすることが困難である。
【０００８】
この発明は、上記事情に鑑み、直付けタイプの火災感知器を所望の位置に、簡単に取り付けられるようにすることを目的とする。
【課題を解決するための手段】
【０００９】
この発明は、天井に取付ねじで固定される本体と、前記本体に設けた一対の略長穴状のねじ取付穴と、前記ねじ取付穴の周壁と、を備えた火災感知器において；少なくとも前記周壁の何れか一方に形成された、前記取付ねじの頭部が挿入される切欠き部と、前記切欠き部の近傍に設けられ、前記切欠き部を経由して、前記ねじ取付穴まで案内するガイド部と、を備え、前記ガイド部が、水平方向位置を規制する略末広形状の左右方向規制部材と、垂直方向位置を規制する略凸形状の上下方向規制部材と、からなり、前記ガイド部により、前記天井に固定された取付ねじの頭部が左右及び上下方向のずれを修正して前記ねじ取付穴まで案内することを特徴とする。
【００１１】
この発明の本体が、側壁とねじ取付穴の周壁とからなるリード線挟持部を備えていることを特徴とする。
【発明の効果】
【００１２】
この発明は、以上のように構成したので、天井等に仮止めした１本の取付ねじの頭部を切欠き部に挿入した後、該本体を摺動させ、前記取付ねじをねじ取付穴内に位置させ締め付けることができる。この様に一本の取付ねじに本体を仮止めした状態で該本体の位置を微調整し、他の取付ねじを螺着して固定することができる。そのため、前記感知器を所望に位置に簡単に取り付けることができるとともに、作業能率も向上する。又、ガイド部を設けたので、取付ねじをスムーズに取付穴に案内することができる。そのため、取付作業の迅速化を図ることができる。
【発明を実施するための最良の形態】
【００１３】
この発明の第１実施の形態を図１〜図４により説明する。
火災感知器Ｆの本体１は、円筒状の側壁３を備えており、その内側にはねじ取付穴５、６が設けられている。このねじ取付穴５、６は点対称に配設された略長穴状の穴であり、本体１の中心を通る直線（直径）上に位置している。
【００１４】
前記取付穴５、６の幅は、取付ねじ８、９のねじ部８ａ、９ａの直径より大きく、頭部８ａ、９ｂの直径よりも小さく形成されている。なお、ねじ取付穴の形状や大きさ等は必要に応じて適宜選択される。
【００１５】
ねじ取付穴５の先端部５ｄ側、即ち本体１の中心側の周壁５ａには、切欠き部１１が形成されている。そのため、このねじ取付穴５は、本体１の中心に向かって開口する、Ｕ字状になっている。この切欠き部１１は取付ねじ８の頭部８ｂが挿入できる大きさに形成されている。この切欠き部１１の近傍には、ガイド部１３が設けられている。前記ガイド部１３は、水平方向位置を規制する左右方向規制部材１３ａと、垂直方向位置を規制する上下方向規制部材１３ｂとを備えている。
【００１６】
図において、５ｂはねじ取付穴５の補強突起、３１はリード線１７の挟持部であり、側壁３の挟持片３ａと周壁５ａとの間に形成されている。３２はプリント基板１９を覆うシール部であり、このプリント基板１９には、図４に示すように、サーミスタ２３やリード線１７が固定されている。前記挟持部３１は、リード線１７の外径や本数により幅等を変える。また、施工直前までリード線が本体１の側壁3の内部に収納されている。
【００１７】
次に、本実施の形態の作動について説明する。
図４に示すように、天井２５の貫通穴２７近傍の所定箇所に取付ねじ８を仮り止めする。この時、前記頭部８ｂの底面８ｃと天井２５との間隔は、周壁５ａの高さより少し大きくなっている。
【００１８】
天井２５の裏面側に配設されているリード線２９と火災感知器Ｆのリード線１７を圧接して一体にする。
次に、該火災感知器Ｆの本体１を手で持ち、切欠き部１１に取付ねじ８の頭部８ｂを近づける。このとき、切欠き部１１は、取付ねじ８の位置を下方から確認できる大きさとしても良い。そして、該切欠き部１１を取付ねじ８の頭部８ｂに挿入した後、該本体１を手前に引っ張る。
【００１９】
そうすると、取付ねじ８は、頭部８ｂの外径が略末広形状をなす左右方向規制部材１３ａに当接して移動方向を規制され、又、頭部８ｂの頂部が略凸形状をなす上下方向規制部材１３ｂに当接して移動方向を規制される。
【００２０】
従って、取付ねじ８がガイド部１３によって簡単に左右方向及び上下方向のずれを修正されるため、切欠き部１１を経由してねじ取付穴５に案内され、その頭部８ｂの底面８ｃを周壁５ａの係止端面５ｅに沿って移動する。又、切欠き部１１の下端の位置に合わせて、左右方向規制部材１３ａの広がり角度や上下方向規制部材１３ｂの天井面の傾斜角度を設定しても良い。
【００２１】
そうすると、けねじ取付穴５の後端部５ｃが該取付ねじ８に当接し、それ以上移動できなくなる。この時、本体１は片持ち状態となるので、本体１から手を離しても落下することはない。
【００２２】
次に、必要に応じて、本体１を前記取付ねじ８を中心にして移動又は回転させ、火災感知器Ｆの固定位置を調整する。そして、所望の位置が決定したらねじ取付穴６に取付ねじ９を挿着して固定する。その後、前記取付ねじ８を締め付け、図４の一点鎖線で示す状態にし、取付作業を終了する。
【００２３】
この発明の第２実施の形態を図５により説明するが、図１〜図４と同一図面符号は、その名称も機能も同一である。
この実施の形態と前記第１実施の形態との相違は、両方のねじ取付穴５、３５にそれぞれ切欠き部１１、３８が設けられていることである。
【００２４】
ねじ取付穴３５の切欠き部３８は、ねじ取付穴３５の後端部３５ｃ側の周壁３５ａを切り欠いて形成されているが、この様にすると、本体１を天井に取り付ける際、本体１の側壁３をガイド部として利用することができるとともに、切欠き部３８に取付ねじ８を挿入する際に、リード線１７が邪魔になることがない。
なお、この切欠き部３８は、ねじ取付穴３５の先端部３５ｄ側に設けても良い。
【００２５】
この発明の実施の形態は、上記に限定されるものではなく、例えば、周壁５ａの係止端面５ｅをねじ取付穴５の奥側に向かって次第に高くなるように形成し、テーパ面としてもよい。この様にすると、取付ねじ８のねじ部８ａをねじ取付穴５に位置させながら前記本体１を移動させると、取付ねじ８の頭部８ｂの底面８ｃが、次第に係止端面５ｅに近接し、最後には当接し固定される。
又、この発明は、火災感知器に限らず、感知器ベース等にも採用することができる。
【図面の簡単な説明】
【００２６】
【図１】本発明の第１実施の形態を示す平面図である。
【図２】底面図である。
【図３】図２の要部拡大斜視図である。
【図４】火災感知器の取り付け工程を示す断面図である。
【図５】本発明の第２実施の形態を示す平面図である。
【符号の説明】
【００２７】
１    本体
３    側壁
５    ねじ取付穴
６    ねじ取付穴
８    取付けねじ
９    取付けねじ
１１  切欠き部
１３  ガイド部
２５  天井
Ｆ    火災感知器
【図１】
0004790492.tif 000002
【図２】
0004790492.tif 000003
【図３】
0004790492.tif 000004
【図４】
0004790492.tif 000005
【図５】
0004790492.tif 000006